(57)【要約】【課題】布帛間での洗浄水の滞留を解消することにより洗浄水の置換効率を高めることができる布帛の洗浄装置を提供する。【解決手段】洗浄槽とロール群とを備え、前記ロール群により布帛を上下方向に蛇行させながら水平方向に進行させることにより、前記洗浄槽内の洗浄水への前記布帛の浸漬及び前記洗浄水からの前記布帛の引き上げを繰り返しながら前記布帛の洗浄を行う布帛の洗浄装置において、前記布帛の進行方向の側方に位置する前記洗浄槽の槽壁に前記洗浄水の流入部を設け、該流入部から前記洗浄槽内に前記布帛の進行方向とほぼ直交する方向に前記洗浄水を流入させるように構成したものである。【選択図】　　図２
2004091967.tif 000002
【特許請求の範囲】
【請求項１】
洗浄槽とロール群とを備え、前記ロール群により布帛を上下方向に蛇行させながら水平方向に進行させることにより、前記洗浄槽内の洗浄水への前記布帛の浸漬及び前記洗浄水からの前記布帛の引き上げを繰り返しながら前記布帛の洗浄を行う布帛の洗浄装置において、
前記布帛の進行方向の側方に位置する前記洗浄槽の槽壁に前記洗浄水の流入部を設け、該流入部から前記洗浄槽内に前記布帛の進行方向とほぼ直交する方向に前記洗浄水を流入させるように構成したことを特徴とする布帛の洗浄装置。
【請求項２】
前記給水部は前記槽壁に沿って形成される給水槽を備え、前記洗浄水は該給水槽を越流して前記洗浄槽内に流入するように構成されたことを特徴とする請求項１に記載の布帛の洗浄装置。
【請求項３】
前記給水部は前記槽壁に沿って形成される給水槽を備え、該給水槽に水平方向に適宜間隔で複数の流入部を設け、前記洗浄水は前記流入部からのみ前記洗浄槽内に流入するように構成されたことを特徴とする請求項１に記載の布帛の洗浄装置。
【発明の詳細な説明】
【０００１】
【発明の属する技術分野】
本発明は、例えば糊抜、精練、漂白、シルケット、染色等の処理後に、布帛を連続洗浄するのに用いられる布帛の洗浄装置に関するものである。
【０００２】
【従来の技術】
布帛を洗浄する場合には、洗浄槽を通過させるが、これを何回も繰り返すと高い洗浄効果が得られる。
【０００３】
そこで、図６に示すように、ガイドロール１００により布帛Ａを上下方向に蛇行させながら水平方向に進行させることにより、洗浄槽１０１内の洗浄水への布帛Ａの浸漬及び洗浄水からの布帛Ａの引き上げを何回も繰り返すようにしている。
【０００４】
一方、洗浄装置は、仕上げレベルの高い洗浄槽で使用された洗浄水は洗浄廃水として排水され、該洗浄廃水は仕上げレベルが一段低い洗浄槽に洗浄水として供給されるようになっている。この場合、仕上げレベルの高さとは関係なく洗浄槽内の洗浄水の置換効率が低ければ、高い洗浄効果が得られない。
【０００５】
ところで、従来の布帛の洗浄装置は、図７に示すように、布帛Ａの進行側の洗浄槽１０１の槽壁１０２に洗浄水の給水口１０３が設けられていたので、給水口１０３から洗浄槽１０１内に流入した洗浄水は、同図の矢印で示すように、走行布帛Ａ１に当たって流れの向きを変え、洗浄槽１０１の槽壁１０４に沿って流れたり、ローラー１００の下側を流れて排水口１０５に至ることになる。この結果、布帛Ａ間には洗浄水が流れ難くなって布帛Ａ間に洗浄水が滞留し、水置換効率が低下するという問題があった。
【０００６】
【発明が解決しようとする課題】
本発明は、布帛間での洗浄水の滞留を解消することにより洗浄水の置換効率を高めることができる布帛の洗浄装置を提供する。
【０００７】
【課題を解決するための手段】
本発明の布帛の洗浄装置は、洗浄槽とロール群とを備え、前記ロール群により布帛を上下方向に蛇行させながら水平方向に進行させることにより、前記洗浄槽内の洗浄水への前記布帛の浸漬及び前記洗浄水からの前記布帛の引き上げを繰り返しながら前記布帛の洗浄を行う布帛の洗浄装置において、前記布帛の進行方向の側方に位置する前記洗浄槽の槽壁に前記洗浄水の流入部を設け、該流入部から前記洗浄槽内に前記布帛の進行方向とほぼ直交する方向に前記洗浄水を流入させるように構成したことを特徴とするものである。
【０００８】
また、前記給水部は前記槽壁に沿って形成される給水槽を備え、前記洗浄水は該給水槽を越流して前記洗浄槽内に流入するのが好ましい。
【０００９】
また、前記給水部は前記槽壁に沿って形成される給水槽を備え、該給水槽に水平方向に適宜間隔で複数の流入部を設け、前記洗浄水は前記流入部からのみ前記洗浄槽内に流入するのが好ましい。
【００１０】
【発明の実施の形態】
以下、本発明の実施の形態を図面に基づいて説明する。
【００１１】
図１に示すように、布帛の洗浄装置は、蒸気が漏れないように水封部１０で密封された上部処理手段１（水洗槽兼蒸熱室）と、その下部に設けられる下部処理手段２と、これらを総括的に制御する図外の制御手段とを備えている。
【００１２】
上部処理手段１は洗浄槽２１と洗浄槽２１内の洗浄水を加熱する図外の蒸気ヒーター（湿熱室の時は蒸気吹き出し口）と布帛Ａを蛇行走行させる下部ロール６Ａと上部ロール６とを備えている。
【００１３】
下部処理手段２は洗浄槽４１と洗浄槽４１内の洗浄水を加熱する図外の蒸気ヒーターと布帛Ａを蛇行走行させる下部ロール６Ａと上部ロール６とを備えている。
【００１４】
また、布帛の洗浄装置は、洗浄水を下部処理手段２から上部処理手段１にカウンターフローさせる図外のポンプを備えており、下部処理手段２の洗浄槽４１内と上部処理手段１の洗浄槽２１内の洗浄水フロー方向は図面上では左右逆方向に流れ、処理手段１から排出された洗浄水は直列に設置された洗浄レベルの低い洗浄槽に落差でカウンターフローされる。
【００１５】
図２に示すように、白抜き矢印で示す布帛Ａの進行方向Ｘの両側に位置する洗浄槽４１の槽壁４１ａ，４１ｂには洗浄水の給水口４１ｃ及び排水口４１ｄが設けられている。また、洗浄槽４１の両側部には給水槽８及び排水槽９が設けられ、給水槽８，９を形成するＵ字状の槽壁８ａ，９ａの上縁部は全長にわたって越流部８ｂ，９ｂとなっている。なお、給水口４１ｃと給水槽８とによって洗浄水の流入部が形成されている。
【００１６】
したがって、洗浄水が給水口４１ｃから給水槽８内に流入し、矢印で示すように給水槽８の越流部８ｂを越流して洗浄槽４１内に入って布帛Ａ間に流入することにより、布帛Ａ間を対流する洗浄水を給水槽８に向けて押し流す。次に、洗浄水は排水槽９の越流部９ａを越えて排水槽９内に流入した後、排水口４１ｄから排水される。このように、洗浄槽４１内に入った洗浄水は布帛Ａで遮られることなく直接布帛Ａ間を流入するので、布帛Ａ間での洗浄水の滞留を防止できて洗浄水の置換効率を高めることができる。
【００１７】
洗浄槽２１も、洗浄槽４１と同様の構造が採用されている。
【００１８】
なお、ロール群４２のうち下側に位置するガイドロール６のロール軸６ａは洗浄槽４１の槽壁４１ａ，４１ｂの外部に設けられた軸受け（図示省略）に軸支され、ロール群２２の下側のガイドロール６のロール軸６ａは洗浄槽２１の槽壁の外部に設けられた軸受け（図示省略）で軸支されている。また、上部処理手段１及び下部処理手段２のロール群２２，４２はそれぞれ前後２グループに分けられ、各グループには駆動用ガイドロール６Ａ（６）が設けられている。各駆動用ガイドロール６Ａ（６）は図外の減速機を介して図外モータによって単独駆動され、該モータの回転数は、各モータへ供給する交流電力の周波数を制御するインバータ装置とトルクモータ制御によって制御され、各駆動用ガイドロール６Ａ（６）の協調により布帛Ａを一定張力で搬送して布帛Ａの形態的変化（ストレッチ、耳巻き、しわ、斜行など）を解消する。すなわち、走行中の布帛Ａの物性変化に対応して布帛Ａの走行抵抗をコントロールし、布帛Ａにかかる張力を任意に制御して洗浄できる。なお，洗浄槽２１，４１に浸るすべてのロールは駆動用ガイドロール６Ａ（６）となっている。
【００１９】
また、布帛Ａの耳巻き現象や皺の発生等を防止するために、すべてのロール間距離を従来の水洗機より大幅に短くしている。この結果、処理手段２の上に処理手段１を位置させる二段構造にしても、洗浄装置の背は高くならず、設置スペースやメンテナンス等の面でも有利になる。
【００２０】
上部処理手段１を蒸熱処理手段５として使用するために、上部処理手段１は図外の蒸気発生源に接続されたスチーム管（蒸気発生部）５１と、蒸熱室５２と、図外の蒸気回収部とを備えている。スチーム管５１は下部ロール群２２の下方に配設され、スチーム管５１には布帛Ａに向けて蒸気を噴出するための蒸気ノズルが設けられている。スチーム管５１は、洗浄槽４１内の洗浄水の加熱手段を兼ねている。なお、布帛Ａを上下方向に蛇行させることにより、スチーム管５１から噴出する蒸気が布帛Ａ間を上昇して布帛Ａ全体に行き渡る。
【００２１】
前記切替え手段は、洗浄槽２１内の洗浄水を抜いてスチーム管５１を通じて蒸熱室５２内に蒸気を導入することにより、前処理を水洗処理から蒸熱処理に切り替え、また、スチーム管５１へ蒸気を供給して洗浄槽２１内に洗浄水を流入させることにより、処理手段１を蒸熱処理から水洗処理に切り替えるものである。
【００２２】
また、上部処理手段１を蒸熱処理に切り替えるときには、図外の切替えバルブによって下部処理手段２の洗浄槽４１から上部処理手段１の洗浄槽２１への洗浄水の供給を停止し、処理手段２の洗浄槽４１から上流側の洗浄装置の上部処理手段１の洗浄槽２１に洗浄水を供給する。
【００２３】
なお、処理手段１の洗浄槽２１と処理手段２の洗浄槽４１の水温は、別々に設定できるようになっており、蒸熱室５２や洗浄槽４１の洗浄水の温度は適宜変更することができるものである。
【００２４】
また、処理手段１はチャンネル１２により構成され、該チャンネル１２は上段部１２Ａと下段部１２Ｂとに２分割可能に形成され、上段部１２Ａには上部処理手段１が、下段部１２Ｂに下部処理手段２及び中間ガイドローラ７がそれぞれ備わっている。
【００２５】
上述の布帛の洗浄装置では、布帛Ａは、図１中の矢印で示すように、処理手段１で前処理されたのち、中間ガイドロール７を経て下部処理手段２の洗浄槽４１で洗浄処理される。
【００２６】
そして、例えば、糊抜き工程では、処理手段１の処理形態を蒸熱処理に設定し、「スチーム→水洗」で糊を抜く。すなわち、高温蒸気によって１００℃近くに保たれた蒸熱室５の上部内において上部ロール群２２によって布帛Ａを蛇行しながら膨潤した後、下部処理手段２に送り、洗浄槽４１内で下部ロール群４２によって布帛Ａを蛇行しながら洗浄水（水温は、例えば６０〜９５℃）によって湯洗する。しかも、密封された蒸熱室５内の処理部において蒸熱処理した後に下部処理手段２に送ることにより、布帛Ａを膨潤状態のまま処理手段２の洗浄槽４１に送ることができる。
【００２７】
また、例えば、漂白工程では、処理手段１の処理形態を水洗処理に切り替え、「水洗→水洗」により塩素等の漂白剤を落とす。また、布帛Ａの品種の違いに応じて処理形態を自由に切り替える。
【００２８】
なお、複数の洗浄装置を連続して配置することにより、例えば、「スチーム→水洗→水洗→水洗」、「スチーム→水洗→スチーム→水洗」、「水洗→水洗→水洗→水洗」等の処理形態を選択できる。
【００２９】
図３乃至図５は本発明の他の実施形態を示している。これらは、いずれも布帛Ａ間での洗浄水の滞留を防止して洗浄水の置換効率を高めるようにしたものである。なお、上述の実施形態と同一又は類似の部分については、図面に上述の実施形態に同符号を付してその説明を省略する。
【００３０】
図３の布帛の洗浄装置は、洗浄槽４１の両側部に給水槽８及び排水槽９が設けられ、洗浄槽４１の給水槽８の槽壁８ａの上縁部に複数の切り欠き（流入部の一例）８ｃが形成された布帛の洗浄装置を示している。そして、洗浄水が給水口４１ｃから給水槽８に流入し、矢印で示すように給水槽８の切り欠き部８ｃを通って洗浄槽４１内に流入する。かかる装置によれば、洗浄槽４１内に流入するときの洗浄水の流速は、図２に示す装置のように給水槽８の槽壁８ａの上縁部を均一に越流するのに較べて増加し、布帛Ａ間の対流水を強い力で押し流すことができて水置換効率を更に高めることができる。なお、給水口４１ｃと切り欠き８ｃを有する給水槽８とで洗浄水の流入部が形成されている。
【００３１】
図４の布帛の洗浄装置は、洗浄槽４１の一側部に仕切り板１３にて仕切られる給水槽８及び排水槽９が設けられ、洗浄槽４１は仕切り板１３で仕切られて上流部４１１及び下流部４１２が形成された布帛の洗浄装置を示している。なお、槽壁８ａの上縁部には全長にわたって越流部８ｂが形成されている。したがって、給水槽８に入った洗浄水は、矢印のように給水槽８を槽壁８ａを越流して洗浄槽４１の上流部４１１に流入して布帛Ａ間の対流水を押し流す。そして、洗浄水は、矢印のように仕切り板１３と洗浄槽４１の槽壁４１ｂとの隙間１４から洗浄槽４１の下流部４１２に入り、下流部４１２における布帛Ａ間の対流水を押し流す。その後、洗浄水は排水槽９の槽壁９ａを越流して排水される。かかる装置によれば、図２及び図３に示す洗浄装置をほぼ同等の水置換効率が得られる。なお、洗浄水の流入部は給水口４１ｃと越流部８ｂを有する給水槽８とで形成されている。
【００３２】
図５の布帛の洗浄装置は、洗浄槽４１の槽壁４１ａ，４１ｂに給水口４１ｃ及び排水口４１ｄが形成され、給水口４１ｃの手前に邪魔板１５が配設されている。したがって、給水口４１ｃから洗浄槽４１内に流入した洗浄水は、邪魔板１５に当たって矢印のように洗浄槽４１の槽壁４１ａに沿って流れた後、布帛Ａ間に流入して布帛Ａ間の対流水を押し流す。かかる装置では、上述のような給水槽及び排水槽が不要となり構造を簡略化でき、しかも、水置換効率を向上させることができる。但し、図２乃至図４に示す洗浄装置に較べて水置換効率は低い。なお、給水口４１ｃと邪魔板１５とで洗浄水の流入部が形成されている。
【００３３】
【発明の効果】
本発明の布帛の洗浄装置によれば、前記布帛の進行方向の側方に位置する前記洗浄槽の槽壁に前記洗浄水の流入部を設け、該流入部から前記洗浄槽内に前記布帛の進行方向とほぼ直交する方向に前記洗浄水を流入させるように構成したので、洗浄水は布帛で遮られることなく布帛間に流入して布帛間の対流水を押し流すことができ、この結果、洗浄槽内での洗浄水の滞留を防止できて洗浄水の置換効率を高めることができる。
【図面の簡単な説明】
【図１】本発明の実施形態の布帛の洗浄装置の断面図である。
【図２】本発明の実施形態の布帛の洗浄装置の平面図である。
【図３】本発明の他の実施形態の布帛の洗浄装置の平面図である。
【図４】本発明の他の実施形態の布帛の洗浄装置の平面図である。
【図５】本発明の他の実施形態の布帛の洗浄装置の平面図である。
【図６】従来の布帛の洗浄装置の縦断面図である。
【図７】従来の布帛の洗浄装置の平面図である。
【符号の説明】
Ａ　　　布帛
４１　　洗浄槽
４１ａ　洗浄槽の槽壁
４１ｃ　洗浄槽の給水口
【図１】
2004091967.tif 000003
【図２】
2004091967.tif 000004
【図３】
2004091967.tif 000005
【図４】
2004091967.tif 000006
【図５】
2004091967.tif 000007
【図６】
2004091967.tif 000008
【図７】
2004091967.tif 000009